(57)【要約】【課題】遊技ユニットを遊技盤に固定するための支持部材の共通化を図ると共に、支持部材の配置の自由度を高めることが可能な遊技機を提供する。【解決手段】本発明によれば、支持部材１７０は、１つの表示ユニット１６０に対して複数取り付けられるので、従来の枠形構造の支持部材を１つの表示ユニットに対して１つ設けた場合に比べて、支持部材１７０の配置の自由度が高まる。また、複数の支持部材１７０を、互いに間隔をあけて配置したので、支持部材１７０の配置の自由度が一層高まると共に、支持部材１７０の材料費を抑えることができる。さらに、支持部材１７０と表示ユニット１６０との取付構造を、複数種類の表示ユニット１６０に関して共通の構造にしたから、複数種類の表示ユニット１６０に対して、支持部材１７０を共通して取付可能となり、支持部材１７０及び取付構造の設計の手間を減らすことができる。【選択図】図６
2007111565.tif 000002
【特許請求の範囲】
【請求項１】
遊技領域を備えた遊技盤に開口部を貫通形成し、前記遊技盤の裏面側のうち前記開口部と対向する位置に遊技ユニットを配置し、前記遊技ユニット及び前記遊技盤と別体形成した支持部材にて、前記遊技ユニットを前記遊技盤に固定した遊技機において、
前記支持部材は、１つの前記遊技ユニットに対して、複数取り付けられると共に、前記支持部材と前記遊技ユニットとの取付構造を、複数種類の遊技ユニットに関して共通の構造にしたことを特徴とする遊技機。
【請求項２】
前記１つの遊技ユニットに対して、複数の前記支持部材が、互いに間隔をあけて配置されたことを特徴とする請求項１記載の遊技機。
【請求項３】
前記支持部材と前記遊技ユニットとの取付構造は、前記支持部材及び前記遊技ユニットの何れか一方に設けられた嵌合部と、他方に設けられて前記嵌合部に嵌合する被嵌合部とで構成されたことを特徴とする請求項１又は２に記載の遊技機。
【請求項４】
前記支持部材は、前記遊技ユニットを、前記遊技盤の裏面から浮かせた状態に保持するように構成されたことを特徴とする請求項１乃至３の何れかに記載の遊技機。
【請求項５】
前記支持部材は、前記遊技盤と前記遊技ユニットの双方に対して、着脱自在に構成されたことを特徴とする請求項１乃至４の何れかに記載の遊技機。
【請求項６】
前記支持部材は、前記遊技盤の裏面に面当接される遊技盤当接壁と、前記遊技ユニットの一部に面当接される遊技ユニット当接壁とを、略平行にして備えたことを特徴とする請求項１乃至５の何れかに記載の遊技機。
【請求項７】
前記支持部材は、前記遊技盤当接壁の一端と前記遊技ユニット当接壁の一端とを垂直壁にて繋げて全体としてクランク状に形成されたことを特徴とする請求項６に記載の遊技機。
【請求項８】
前記遊技ユニットは、表示部を備えた表示ユニットであることを特徴とする請求項１乃至７の何れかに記載の遊技機。
【請求項９】
前記遊技盤の表面から前記開口部に取り付けられた遊技部材に、前記遊技ユニットを直に着脱自在に取り付けたことを特徴とする請求項８に記載の遊技機。
【発明の詳細な説明】
【技術分野】
【０００１】
本発明は、遊技盤に形成した開口部に裏面側から遊技ユニットを取り付けた遊技機に関し、特に、遊技ユニットを取り付けるための支持部材を備えた遊技機に関する。
【背景技術】
【０００２】
図１５には、従来の遊技機における遊技ユニット２を、遊技盤１に取り付けるための構造が示されている。同図に示すように、この遊技盤１の中心部分には、開口部４が形成されており、その開口部４に向けて遊技盤１の裏面側から支持部材３が固定される。その固定方法としては、開口部４の大きさに合わせた枠形構造の支持部材３を、１つの遊技ユニット２に対して１つ用意し、その支持部材３に備えたフランジ部３Ｆを、開口部４の周縁部に敷設して、タッカー（ホッチキス針と同形状の留め針）にて遊技盤１に固着していた。そして、この支持部材３に、遊技ユニット２を着脱可能に取り付けることで、遊技ユニット２の例えば液晶部分が故障したときに、容易に、その遊技ユニット２を交換できる構成にしてあった。なお、従来のものでは、装飾枠５が、遊技盤１の前面から開口部４に合わせて遊技盤に固定され、その装飾枠５と支持部材３との関係は位置合わせだけであった。
なお、本件の従来技術を掲載した先行技術文献は、見つけられなかった。
【発明の開示】
【発明が解決しようとする課題】
【０００３】
ところで、最近の遊技ユニット（例えば、液晶表示部を備えた表示ユニット等）は、大型化しているため、遊技ユニットと遊技機の裏面側に配された他の部位（各種制御装置や他の遊技ユニット等）との間隔が狭くなっている。
【０００４】
ところが、従来の支持部材３は、開口部４の大きさに合わせた枠形構造をなしていたので、配置の自由度が狭く、支持部材３の取り付けスペースを確保することが困難であった。さらに、従来の支持部材は、開口部４又は遊技ユニット２の大きさや形状が変わる度に、それらに対応させて設計変更する必要があった。
【０００５】
本発明は、上記事情に鑑みてなされたもので、遊技ユニットを遊技盤に固定するための支持部材の共通化を図ると共に、支持部材の配置の自由度を高めることが可能な遊技機の提供を目的とする。
【課題を解決するための手段】
【０００６】
上記目的を達成するためになされた請求項１の発明に係る遊技機は、遊技領域を備えた遊技盤に開口部を貫通形成し、遊技盤の裏面側のうち開口部と対向する位置に遊技ユニットを配置し、遊技ユニット及び遊技盤と別体形成した支持部材にて、遊技ユニットを遊技盤に固定した遊技機において、支持部材は、１つの遊技ユニットに対して、複数取り付けられると共に、支持部材と遊技ユニットとの取付構造を、複数種類の遊技ユニットに関して共通の構造にしたところに特徴を有する。
【０００７】
請求項２の発明は、請求項１記載の遊技機において、１つの遊技ユニットに対して、複数の支持部材が、互いに間隔をあけて配置されたところに特徴を有する。
【０００８】
請求項３の発明は、請求項１又は２に記載の遊技機において、支持部材と遊技ユニットとの取付構造は、支持部材及び遊技ユニットの何れか一方に設けられた嵌合部と、他方に設けられて嵌合部に嵌合する被嵌合部とで構成されたところに特徴を有する。
【０００９】
請求項４の発明は、請求項１乃至３の何れかに記載の遊技機において、支持部材は、遊技ユニットを、遊技盤の裏面から浮かせた状態に保持するように構成されたところに特徴を有する。
【００１０】
請求項５の発明は、請求項１乃至４の何れかに記載の遊技機において、支持部材は、遊技盤と遊技ユニットの双方に対して、着脱自在に構成されたところに特徴を有する。
【００１１】
請求項６の発明は、請求項１乃至５の何れかに記載の遊技機において、支持部材は、遊技盤の裏面に面当接される遊技盤当接壁と、遊技ユニットの一部に面当接される遊技ユニット当接壁とを略平行にして備えたところに特徴を有する。
【００１２】
請求項７の発明は、請求項６に記載の遊技機において、支持部材は、遊技盤当接壁の一端と遊技ユニット当接壁の一端とを垂直壁にて繋げて全体としてクランク状に形成されたところに特徴を有する。
【００１３】
請求項８の発明は、請求項１乃至７の何れかに記載の遊技機において、遊技ユニットは、表示部を備えた表示ユニットであるところに特徴を有する。
【００１４】
請求項９の発明は、請求項８記載の遊技機において、遊技盤の表面から開口部に取り付けられた遊技部材に、遊技ユニットを直に着脱自在に取り付けたところに特徴を有する。
【発明の効果】
【００１５】
［請求項１の発明］
請求項１の発明に係る支持部材は、１つの遊技ユニットに対して複数取り付けられるので、従来の枠形構造の支持部材を１つの遊技ユニットに対して１つ設けた場合に比べて、支持部材の配置の自由度が高まる。また、支持部材と遊技ユニットとの取付構造を、複数種類の遊技ユニットに関して共通の構造にしたから、複数種類の遊技ユニットに対して、支持部材を共通して取付可能となる。また、これにより、支持部材及び取付構造の設計の手間を減らすことができる。
【００１６】
なお、１つの遊技ユニットに取り付けられる複数の支持部材を、全て同じ形状にすれば支持部材が汎用部品化され、製造コストの削減を図ることができる。
【００１７】
［請求項２の発明］
請求項２の発明では、１つの遊技ユニットに対して、複数の支持部材を、互いに間隔をあけて配置したので、支持部材の配置の自由度が高まる。
【００１８】
［請求項３の発明］
請求項３の発明によれば、支持部材と遊技ユニットとに、互いに嵌合する嵌合部と被嵌合部とを設けたので、これら嵌合部と被嵌合部との嵌合により、遊技ユニットと支持部材とが位置決めされる。これにより、遊技ユニットを支持部材に位置決めして取り付ける作業が容易になる。
【００１９】
［請求項４の発明］
請求項４の発明によれば、支持部材により、遊技ユニットを遊技盤の裏面から浮かせた状態に保持したから、遊技盤から開口部の奥の遊技ユニットまでの空間を広く確保することができる。
【００２０】
［請求項５の発明］
請求項５の発明によれば、遊技盤に遊技ユニットを固定するための支持部材を、遊技盤と遊技ユニットに対して着脱自在としたから、支持部材に不具合が生じたときに、容易に支持部材を取り外して修理・検査等を行うことができる。また、支持部材は、遊技盤と遊技ユニットの双方に着脱自在であるから、支持部材を遊技盤に付けたまま遊技ユニットを外すか、支持部材を遊技ユニットに付けたまま遊技盤を外すかの何れかを選択的に行うことが可能になり、遊技ユニット又は遊技盤の何れかの修理・検査等を効率良く行うことができる。
【００２１】
［請求項６及び７の発明］
請求項６の発明によれば、支持部材のうち遊技盤に面当接される遊技盤当接壁と、遊技ユニットに面当接される遊技ユニット当接壁とを、略平行にしたから、これにより、遊技ユニットを遊技盤に対して略平行に取り付けることができる。また、請求項７の発明に係る支持部材は、クランク状をなし、遊技盤当接壁と遊技ユニット当接壁とが非対向状態であるから、遊技盤又は遊技ユニットへの着脱作業を行うための空間がずれた状態で確保され、作業性が向上する。
【００２２】
［請求項８の発明］
請求項８の発明によれば、表示部を備えた表示ユニットが、本発明に係る遊技ユニットとして容易に着脱することができるようになり、修理・検査の作業効率が向上する。
【００２３】
［請求項９の発明］
請求項９の発明によれば、遊技盤の表面から開口部に取り付けられた遊技部材に、遊技ユニットを直に着脱自在に取り付けたから、遊技部材と遊技ユニットとの位置決め精度を向上させることができる。
【発明を実施するための最良の形態】
【００２４】
以下、本発明を適用したパチンコ遊技機に係る一実施形態を、図１〜図１４に基づいて説明する。本実施形態のパチンコ遊技機は、図１に示した枠体８０に、遊技機本体８１を組み付けてなる。まず枠体８０の構成について説明する。
【００２５】
枠体８０は、図２及び図３に示した外枠８２に前面枠９０を回動可能に備えてなる。外枠８２は、図５に示すように、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００２６】
外枠８２のうち一方の側辺には、その上下の２箇所に、金属製のヒンジ片８５，８５が取り付けられている。これらヒンジ片８５，８５は、外枠８２の前方に向けて張り出しており、その先端部には、ピン孔が形成されている。
【００２７】
外枠８２のうちヒンジ片８５と反対側の側辺を構成する長板８３には、その上端寄りと下端寄りの内面の２箇所に、１対の被係止部８６，８６が取り付けられている。被係止部８６は、例えば、金属板を概Ｌ字状に折り曲げてなり、そのＬ字の一辺が、長板８３に敷設してねじ止めされ、他辺が長板８３から起立している。なお、外枠８２のうちヒンジ片８５を備えた側の外側面には、図１に示すように、プリペードカードユニット１５０が取り付けられる。
【００２８】
前面枠９０は、例えば、合成樹脂で構成され、図５に示すように、外枠８２の前面のうち前面板８４より上方部分に対応した矩形構造をなす。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉する。
【００２９】
前面枠９０には、遊技窓９０Ｗが形成されており、前面枠９０の裏面には、遊技窓９０Ｗを囲むように囲壁９３が起立している。そして、この囲壁９３の内部に、後に詳説する遊技盤１１が嵌合され、囲壁９３に備えた複数の係止爪９４にて、遊技機本体８１が前面枠９０に着脱可能に固定される。
【００３０】
前面枠９０の表面には、図４に示すように、ガラス枠９５が、遊技窓９０Ｗに重ねて設けられている。ガラス枠９５は、前面枠９０のうちヒンジ片９１側の側縁部に回動可能に取り付けられており、遊技窓９０Ｗより一回り小さな窓９５Ｗを備えて、そこにガラス板が張られている。また、図２に示すように、ガラス枠９５の前面うち窓９５Ｗの縁部には、装飾ランプ９６が配されている。
【００３１】
前面枠９０のうちガラス枠９５の下方には、横長の回動板９７が、ガラス枠９５と同様に、前面枠９０に対して回動可能に取り付けられている。また、この回動板９７には、上皿２７Ａが取り付けられ、前面枠９０のうち回動板９７の下方に、下皿２７Ｂが取り付けられている。そして、遊技を行った場合の賞球としての遊技球が、上皿２７Ａに払い出され、上皿２７Ａに設けたボタン２９を押すと、上皿２７Ａから下皿２７Ｂに遊技球が移動する。
【００３２】
上皿２７Ａの左右の両端部寄り位置には、１対のスピーカ５９Ｓ，５９Ｓが設けられると共に、下皿２７Ｂの右端部には、操作ノブ２８が設けられている。これらスピーカ５９Ｓ、操作ノブ２８及び前記装飾ランプ９６等は、遊技機本体８１の所定の電気回路にコネクタ接続されている。そして、操作ノブ２８を操作することで、上皿２７Ａに収容された遊技球が遊技盤１１上に向けて弾き出され、遊技の進行状況に応じて、装飾ランプ９６及びスピーカ５９Ｓが駆動される。
【００３３】
上述した前面枠９０及びガラス枠９５は、施錠機構１００により、閉止状態に施錠される。施錠機構１００は、前面枠９０の裏面のうちヒンジ片９１と反対側の側縁部に取り付けられている。施錠機構１００には、上下の両端に回動部材１０２，１０２が備えられ、その回動部材１０２の先端に形成した係止爪１０３を、外枠８２の被係止部８６に係止して、前面枠９０が閉止状態に施錠される。
【００３４】
以上、枠体８０に関する説明であり、次に遊技機本体８１の構成について説明する。図６には、遊技盤１１と、本発明に係る遊技ユニットとしての表示ユニット１６０と、その表示ユニット１６０を遊技盤１１に取り付けるための支持部材１７０と、本発明に係る遊技部材としての装飾枠２３とが示されている。
【００３５】
遊技盤１１は、木製の概矩形板材で構成され、複数箇所に開口部１５１〜１５７が貫通形成されている。それら開口部のうち図６において符号１５１で示した表示ユニット用の開口部は、遊技盤１１の中央より若干上寄りに配置されて、最も広い開口面積を占めている。開口部１５１の下側には、始動入賞口用の開口部１５２と、大入賞口用の開口部１５３と、アウト口用の開口部１５７とが配置され、大入賞口用の開口部１５３の左右両横には、一般入賞孔付ランプユニット用の開口部１５４，１５４が配置されている。また、表示ユニット用の開口部１５１の左右両横には、ランプ風車用の開口部１５５，１５５と、始動ゲート用の開口部１５６，１５６とが配置されている。
【００３６】
遊技盤１１の表面は、図７に示されており、遊技内容に関連したセル画（図示せず）が貼られると共に、ガイドレール１２が取り付けられ、そのガイドレール１２の内側が、ほぼ円形の遊技領域Ｒ１となっている。そして、この遊技領域Ｒ１に、上述した開口部１５１〜１５７が配置されている。また、遊技領域Ｒ１には、全体に亘って図示しない複数の釘が起立している。
【００３７】
遊技領域Ｒ１の中央下寄りに位置した前記開口部１５２（図６参照）には、図７に示した始動入賞口ユニット１４Ｕが取り付けられている。始動入賞口ユニット１４Ｕには、上方を向いた始動入賞口１４が備えられ、その始動入賞口１４の両側には、可動翼片１４Ｃ，１４Ｃが備えられている。可動翼片１４Ｃ，１４Ｃは、常には、始動入賞口１４に遊技球が１つ入賞可能な大きさで開口しており、例えば、後述する始動ゲート１８に遊技球が通過すると、後述する主制御装置５０により乱数による抽選をし、当たりだと遊技盤１１の裏に設けたソレノイド（図示せず）が駆動され、可動翼片１４Ｃ，１４Ｃが所定期間に亘って左右に拡開して、始動入賞口１４へ入賞し易くなる。そして、始動入賞口１４に遊技球が入賞すると、始動入賞口１４の奥部に設けた特別図柄始動スイッチがこれを検出して、後に詳説する前記表示ユニット１６０の液晶モジュール１６２に複数の図柄を変動表示した後、停止表示する。また、このとき、始動入賞口１４に入賞した遊技球に対応した所定数の賞球が上皿２７Ａに排出される。
【００３８】
遊技領域Ｒ１のうち前記始動入賞口用の開口部１５２の下方に位置した前記開口部１５３（図６参照）には、図７に示した大入賞口ユニット１５Ｕが取り付けられている。大入賞口ユニット１５Ｕには、前方に開放した横長矩形状の大入賞口１５が備えられ、その大入賞口１５が、常には、可動扉１５Ｔにて閉塞されている。そして、後述する所定条件の成立によって、パチンコ遊技機が「大当たり状態」になると、遊技盤１１の裏に設けたソレノイド（図示せず）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００３９】
大入賞口１５の内部には、向かって左側に特定領域１５Ｒが設けられており、その特定領域１５Ｒに遊技球が入賞すると、特定領域１５Ｒの奥部に設けた入賞球検出スイッチ（図示せず）がこれを検出し、前述した終了条件を満たしてラウンドが終了した後で、連続して次のラウンドが実行される。また、大入賞口１５のうち特定領域１５Ｒ以外の領域に遊技球が入賞すると、その奥部に設けた入賞球検出スイッチ（図示せず）がこれを検出し、前記特定領域１５Ｒへの入賞球と合わせて、大入賞口１５への総入賞球数がカウントされ、これらが前記したように計１０個に達したか否かがチェックされる。また、大入賞口１５に入賞した遊技球に対応して、所定数の賞球が上皿２７Ａに排出される。
【００４０】
遊技領域Ｒ１の最下部に位置した前記開口部１５７（図６参照）には、図７に示した装飾口金が取り付けられ、開口部１５７をアウト口として、遊技領域Ｒ１を通過した外れ球が、ここに入り込む。
【００４１】
遊技領域Ｒ１の下方両サイドに位置した前記開口部１５４には、図７に示した一般入賞孔付ランプユニット２０Ｕが取り付けられている。一般入賞孔付ランプユニット２０Ｕには、上方に開放した１対の一般入賞口２０，２１が設けられ、これら一般入賞口２０，２１に遊技球が入賞すると、その奥部に設けた入賞球検出スイッチ（図示せず）がこれを検出し、所定数の賞球が上皿２７Ａに排出される。
【００４２】
遊技領域Ｒ１のうち上方寄りの左右両側に位置した前記開口部１５５，１５５（図６参照）には、図７に示したランプ風車１７，１７が取り付けられると共に、それら開口部１５５，１５５の下方に位置した開口部１５６には、図７に示した始動ゲート１８，１８が取り付けられている。
【００４３】
さて、遊技領域Ｒ１の中央上寄りに位置した前記開口部１５１には、遊技盤１１の表面から図６に示した装飾枠２３が取り付けられ、遊技盤１１の裏面から同図に示した表示ユニット１６０が取り付けられている。
【００４４】
装飾枠２３は、全体として例えば横長の概長方形状をなして内側部分に表示窓２３Ａを備え、開口部１５１に勘入される主体部２４の前端面から側方にフランジ２３Ｆを張り出して備える。そして、フランジ２３Ｆを、開口部１５１の前面開口縁に敷設して、そのフランジ２３Ｆを貫通した木ネジにて、遊技盤１１に固定されている。装飾枠２３は、遊技盤１１に固定された状態で、図１０に示すように、遊技盤１１の裏面から突出した状態になる。
【００４５】
装飾枠２３の上辺には、フランジ２３Ｆより前方に突出した突出縁部２５が形成され、遊技領域Ｒ１を流下した遊技球が、装飾枠２３の上方から装飾枠２３の前面を通過しないように規制している。また、突出縁部２５の左右方向の中央位置には、図９に示すように、ワープ口２３Ｗが開口しており、ここに転入した遊技球は、装飾枠２３の上辺及び両側辺の内部経路を通過して、装飾枠２３の下辺の上面に設けたステージ２３Ｓ（図６参照）へと案内される。また、遊技球が、装飾枠２３の両側部から装飾枠２３内に入って、ステージ２３Ｓ上に乗る場合もある。ステージ２３Ｓは、前後方向に２段になっており、遊技球が遊転しながら下段中央に集まり易くなっている。そして、ステージ２３Ｓの下段中央の下方には、始動入賞口１４が上方を向いて開放されているから、ステージ２３Ｓに遊技球が乗ると、始動入賞口１４への入賞確率が高くなる。
【００４６】
図９に示すように、装飾枠２３の裏面のうち上縁部には、遊技盤１１と直行する方向に向けて１対の木ネジ用筒部２６，２６が直立している。この木ネジ用筒部２６と表示ユニット１６０に設けた木ネジ受片１６４，１６４とによって、装飾枠２３と表示ユニット１６０とが着脱可能に位置決めされる。
【００４７】
遊技盤１１の裏面から開口部１５１に取り付けられる表示ユニット１６０は、図６に全体を示すように、扁平で透明な樹脂ケース１６１の前面に、本発明の表示部に相当する液晶モジュール１６２（詳細には、ＴＦＴ−ＬＣＤモジュール）を備えてなる。そして、樹脂ケース１６１に収容した制御回路基板（図示せず）により、液晶モジュール１６２に所定の画像が表示される。その所定の画像の一例として、図７に示すように、液晶モジュール１６２には、例えば、特別図柄１３Ａ，１３Ｂ，１３Ｃが、横並びに表示される。各特別図柄１３Ａ，１３Ｂ，１３Ｃは、それぞれ例えば「０」〜「１１」の１２種類の数字体で構成されており、遊技の当たり外れを示すために用いられる。即ち、各特別図柄１３Ａ，１３Ｂ，１３Ｃは、通常は、各特別図柄１３Ａ，１３Ｂ，１３Ｃごとに、所定の種類のものが停止表示されている。そして、前記始動入賞口１４に遊技球が入賞したときには、各特別図柄１３Ａ，１３Ｂ，１３Ｃが、上下方向にスクロールして変動表示され、所定時間後に、例えば、左、右、中の順に、各特別図柄１３Ａ，１３Ｂ，１３Ｃが停止表示される。このとき、これら特別図柄１３Ａ，１３Ｂ，１３Ｃが、例えば、ぞろ目になったか否は、主制御装置５０の乱数で当否判定をして当たり外れを表示する。
【００４８】
図６に示すように、樹脂ケース１６１は、詳細には扁平方向で前側構成部１６１Ｆと後側構成部１６１Ｒとに２分割可能となっており、前側構成部１６１Ｆに形成した係止可撓片１６５を後側構成部１６１Ｒの一部に係止して、両者が一体になっている。また、前記液晶モジュール１６２や図示しない制御回路基板等の内蔵部品は、前側構成部１６１Ｆに固定されている。そして、前側構成部１６１Ｆの側面から複数の当接突片１６３が側方に張り出されると共に、前側構成部１６１Ｆの上縁部には、前記装飾枠２３の木ネジ用筒部２６，２６に対応した１対の木ネジ受片１６４，１６４が左右方向に並べて設けられている。
【００４９】
木ネジ受片１６４は、図８に示すように、全体としてＬ字形をなし、その一辺が樹脂ケース１６１における前側構成部１６１Ｆ（以下、前側構成部１６１Ｆと後側構成部１６１Ｒとを区別する必要がないときには、単に樹脂ケース１６１という）の上縁から前方（装飾枠２３側）に立ち上がり、他の一辺が上方を向いて起立している。そして、木ネジ受片１６４のうち上方に起立した他の一辺に、挿通孔１６４Ａが形成され、その挿通孔１６４Ａに挿通させた木ネジが、装飾枠２３の木ネジ用筒部２６内にねじ込まれて、装飾枠２３と表示ユニット１６０とが位置決めされる。
【００５０】
前記複数の当接突片１６３は、具体的には４つ設けられており、樹脂ケース１６１の両側面と下面の両端部とに配置されている。各当接突片１６３は、同形状をなして樹脂ケース１６１の壁面から垂直に張り出して、遊技盤１１に対向している。また、図１１に拡大して示すように、当接突片１６３は、樹脂ケース１６１からの張り出し寸法より幅寸法の方が大きく、幅方向の両側面には凸条１６６，１６６（本発明に係る「凸部」及び「嵌合部」に相当する）が対称的に突出している。さらに、当接突片１６３には、遊技盤１１との対向方向に、挿通孔１６３Ａが貫通形成されている。
【００５１】
さて、支持部材１７０は、前記当接突片１６３に対応して同形状のものが４つ備えられている。支持部材１７０は、図１１に拡大して示されており、遊技盤１１の裏面に面当接される遊技盤当接壁１７２と、当接突片１６３に面当接される遊技ユニット当接壁１７１とを平行にして備え、これら遊技盤当接壁１７２の一端と遊技ユニット当接壁１７１の一端とを垂直壁１７３にて繋げて、全体として概ねクランク状をなしている。
【００５２】
垂直壁１７３の両側方からは、遊技盤当接壁１７２の両側部に連続した三角リブ１７２Ｌ，１７２Ｌが起立して、遊技盤当接壁１７２を補強している。また、遊技盤当接壁１７２には、１対の挿通孔１７２Ａ，１７２Ａが横並びに貫通形成されている。
【００５３】
垂直壁１７３には、遊技ユニット当接壁１７１を両側方から挟んで補強するように１対の対向壁１７１Ｌ，１７１Ｌが起立している。遊技ユニット当接壁１７１には、当接突片１６３の挿通孔１６３Ａに整合する挿通孔１７１Ａが貫通形成されている。そして、遊技ユニット当接壁１７１のうち挿通孔１７１Ａの開口縁から当接突片１６３と離れる側に向けて木ネジ用筒部１７４が起立している。なお、対向壁１７１Ｌ，１７１Ｌは、木ネジ用筒部１７４を両側方から保護する役割も果たす。
【００５４】
対向壁１７１Ｌ，１７１Ｌの互いの対向面には、溝部１７５，１７５（本発明の「溝部」及び「被嵌合部」に相当する）が形成されている。溝部１７５は、遊技ユニット当接壁１７１と当接突片１６３との対向方向に延びた１対の突条で構成され、これら１対の突条の間に、当接突片１６３の凸条１６６がスライド可能に係合する。
【００５５】
上述した表示ユニット１６０の取り付けに関しては、後述の作用効果と共に延べることとし、遊技盤１１に取り付けられるその他の部品について、以下説明する。
【００５６】
遊技盤１１の裏面には、樹脂ケース１６１より下方側に遊技球回収ダクト（図示せず）が取り付けられ、各入賞口１４，１５，２０，２１及び外れ球受け入れ口１６に入った遊技球が、この遊技球回収ダクトを通って遊技球回収部に集められる。また、図１及び図１４に示すように、遊技盤１１の裏面には、表示ユニット１６０及び遊技球回収ダクト等以外の複数の部品が組み付けられ、これら遊技盤１１を含む複数の部品により遊技機本体８１（図１参照）が構成されている。
【００５７】
具体的には、透明な樹脂製の機構板７５が、遊技盤１１の裏面全体を覆って固定されると共に、その機構板７５の下部が、遊技盤１１より下方に延びている。機構板７５のうち上下方向のほぼ中央には、図１に示すように、透明な筐体状の樹脂カバー７６が、着脱可能に取り付けられている。この樹脂カバー７６の内部には、遊技の制御に係る主制御装置５０、ランプ制御装置５５、音声制御装置５６及び前記表示ユニット１６０が収容されている。また、機構板７５のうち樹脂カバー７６より下方には、払出制御装置５８と電源装置７０とが横並びにして取り付けられている。
【００５８】
前記主制御装置５０は、ＣＰＵとＲＯＭ及びＲＡＭを合わせてパッケージしてなるワンチップマイコンを主要部として備え、定期リセット回路にて生成した割り込みパルスに基づき、ＲＯＭに記憶した種々のプログラムをランすることで、遊技機を統括制御する。
【００５９】
前記ランプ制御装置５５は、枠体８０に備えた装飾ランプ９６、左右のサイドランプ２２，２２等への電力供給をオンオフする駆動回路を内蔵して備え、主制御装置５０から受けた信号に基づき、前記駆動回路を作動させて、各ランプ、ＬＥＤを駆動制御する。
【００６０】
前記音声制御装置５６は、主制御装置５０から受けた信号に基づいて、所定の音声信号を図示しないＲＯＭから取り出し、これをアナログ信号に変換及び増幅して後述するスピーカ５９Ｓから音を出力させる。
【００６１】
前記払出制御装置５８は、主制御装置５０から受けた信号に基づき、所定数の遊技球を賞球として、後述の上皿２７Ａに払い出す。
【００６２】
前記電源装置７０は、パチンコホールに備えたＡＣ２４Ｖ設備電源から電力を受け、これを所定の電圧に変圧して各部位に配電する。
【００６３】
なお、前記表示ユニット１６０では、前記制御回路基板上に実装した表示用ＣＰＵが、主制御装置５０から受けた信号を処理すると共に、表示用ＣＰＵの処理結果に基づき、ＶＤＰ（図示せず）にて画像データを生成して、これを液晶モジュール１６２へと出力する。
【００６４】
次に、上記構成からなる本実施形態の作用・効果を説明する。
パチンコ遊技機を製造する際の組付工程で、遊技盤１１に表示ユニット１６０を組み付けるには、まずは、図９に示すように、表示ユニット１６０に支持部材１７０を取り付けておく。そのためには、表示ユニット１６０の当接突片１６３に、支持部材１７０の遊技ユニット当接壁１７１を面当接させ、当接突片１６３の挿通孔１６３Ａに通した木ネジを、支持部材１７０の木ネジ用筒部１７４にねじ込む。
【００６５】
ここで、当接突片１６３を、遊技ユニット当接壁１７１に接近させる途中で、支持部材１７０に備えた溝部１７５と、当接突片１６３に備えた凸条１６６とがスライド係合する。従って、当接突片１６３と遊技ユニット当接壁１７１とを面当接させた状態で、溝部１７５と凸条１６６との係合により、表示ユニット１６０と支持部材１７０とが、当接方向と直行する平面内で位置決めされ、当接突片１６３の挿通孔１６３Ａと支持部材１７０の木ネジ用筒部１７４とが整合された状態に保持される。これにより、挿通孔１６３Ａに通した木ネジを、容易に支持部材１７０の木ネジ用筒部１７４にねじ込むことができる。そして、木ネジを外せば、支持部材１７０を表示ユニット１６０から離脱することができるから、即ち、木ネジにより、支持部材１７０が表示ユニット１６０に着脱自在に固定される。
【００６６】
図１０に示すように、装飾枠２３は、遊技盤１１に前面から開口部１５１に挿入して、予め遊技盤１１に固定しておく。そして、支持部材１７０を一体に取り付けた表示ユニット１６０を、遊技盤１１の裏面から開口部１５１に宛い、装飾枠２３の木ネジ用筒部２６，２６に、表示ユニット１６０の木ネジ受片１６４を対向させる。この状態で、木ネジ受片１６４の挿通孔１６４Ａに挿通した木ネジを、木ネジ用筒部２６にねじ込む。これにより、表示ユニット１６０が装飾枠２３に直に位置決めされ、装飾枠２３の表示窓２３Ａと、表示ユニット１６０の表示部としての液晶モジュール１６２とが、正確に対応した状態に位置決めされる。
【００６７】
木ネジを木ネジ用筒部２６にねじ込んでいく過程で、支持部材１７０の遊技盤当接壁１７２が遊技盤１１の裏面に当接する。この状態で、木ネジを木ネジ用筒部２６にねじ込む作業を止めて、遊技盤当接壁１７２の挿通孔１７２Ａ，１７２Ａを通して、遊技盤１１に木ネジをねじ込む。ここで、支持部材１７０はクランク状になっているから、遊技盤当接壁１７２と遊技ユニット当接壁１７１とがネジ締め方向で重ならず、容易にネジ締め作業を行うことができる。そして、木ネジのヘッド部が、遊技ユニット当接壁１７１に当接するまで締め、これにより、装飾枠２３と表示ユニット１６０とが位置決めされた状態で、支持部材１７０が遊技盤１１に着脱自在に固定される。ここで、支持部材１７０の遊技盤当接壁１７２と遊技ユニット当接壁１７１とは、略平行であるから、表示ユニット１６０が遊技盤１１に対して略平行に取り付けられる。また、表示ユニット１６０は、支持部材１７０により、遊技盤１１の裏面から浮かせた状態に保持されるので、遊技盤１１から開口部１５１の奥の樹脂ケース１６１までの空間を広く確保することができる。
【００６８】
支持部材１７０を遊技盤１１に取り付けた後で、例えば、ネジを締めすぎて１つの支持部材１７０にひびが生じた場合には、以下のように対処すればよい。即ち、支持部材１７０を遊技盤１１にネジ止めした状態のまま表示ユニット１６０を支持部材１７０から離脱させる。そのためには、挿通孔１６３Ａ，１６４Ａに挿通した木ネジを外す。このとき、支持部材１７０は、それぞれ２本の木ネジで遊技盤１１に回転不能に固定されているから、挿通孔１６３Ａに挿通した木ネジを支持部材１７０から外す作業の途中で、支持部材１７０の位置が変わることはない。
【００６９】
そして、表示ユニット１６０を遊技盤１１から離脱させた状態で、ひびが生じた１つの支持部材１７０を外す。次いで、新品の支持部材１７０を、例えば、表示ユニット１６０の当接突片１６３に木ネジで固定してから、その表示ユニット１６０を遊技盤１１の裏面に宛い、遊技盤１１に取り付けたまま残った支持部材１７０の遊技ユニット当接壁１７１に、表示ユニット１６０の当接突片１６３を対向させて押しつける。すると、支持部材１７０の溝部１７５と当接突片１６３の凸条１６６とがスライド係合して、遊技ユニット当接壁１７１と当接突片１６３とが面当接する位置まで案内され、挿通孔１６３Ａが木ネジ用筒部１７４に整合した状態に容易に復元することができる。
【００７０】
一方、遊技盤１１に支持部材１７０を取り付けた後で、遊技盤１１側に問題が生じた場合には、例えば、支持部材１７０に表示ユニット１６０を取り付けた状態のまま、支持部材１７０を遊技盤１１に固定する木ネジを外す。そして、遊技盤１１を新品に交換して、前述と同様に遊技盤１１に支持部材１７０を固定する。
【００７１】
さて、新規にパチンコ遊技機を設計する場合に、遊技盤１１における開口部１５１の形状及び大きさと、表示ユニット１６０の形状及び大きさを変更するときには、以下のようである。即ち、設計時に、遊技盤１１の裏側に配された種々の部品と新規の表示ユニット１６０とを取り付けるための空きスペースを図面上で見つけ、そこに複数の支持部材１７０を配置する。そして、表示ユニット１６０のうち支持部材１７０を配置した部分に、前記した当接突片１６３と同形状の当接突片１６３を形成するように設計する。このように、新旧のパチンコ遊技機において、表示ユニット１６０と支持部材１７０との取付構造を同じにすれば、旧機種で用いた前述の支持部材１７０を新機種にも共通使用することができる。従って、支持部材１７０の構造と、取付構造の新たな設計を行う必要がなくなる。
【００７２】
上述したように本実施形態によれば、支持部材１７０は、１つの表示ユニット１６０に対して複数取り付けられるので、従来の枠形構造の支持部材を１つの表示ユニットに対して１つ設けた場合に比べて、支持部材１７０の配置の自由度が高まる。また、複数の支持部材１７０を、互いに間隔をあけて配置したので、支持部材１７０の配置の自由度が一層高まると共に、支持部材１７０の材料費を抑えることができる。さらに、支持部材１７０と表示ユニット１６０との取付構造を、複数種類の表示ユニット１６０に関して共通の構造にしたから、複数種類の表示ユニット１６０に対して、支持部材１７０を共通して取付可能となり、支持部材１７０及び取付構造の設計の手間を減らすことができる。しかも、１つの表示ユニット１６０に取り付けられる複数の支持部材１７０を、全て同じ形状にしたから、支持部材１７０が汎用部品化され、製造コストの削減を図ることができる。また、遊技盤１１に表示ユニット１６０を固定するための支持部材１７０を、遊技盤１１と表示ユニット１６０に着脱自在としたから、支持部材１７０に不具合が生じたときに、容易に支持部材１７０を取り外して修理・検査等を行うことができる。さらに、支持部材１７０を、遊技盤１１と表示ユニット１６０の双方に着脱自在であるから、支持部材１７０を遊技盤１１に付けたまま表示ユニット１６０を外すか、支持部材１７０を表示ユニット１６０に付けたまま遊技盤１１から外すかの何れかを選択的に行うことが可能になり、表示ユニット１６０又は遊技盤１１の何れかの修理・検査等を効率良く行うことができる。
【００７３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態においては、遊技機の一例としてパチンコ遊技機を例示したが、本発明はこれに限られず、前面枠を施錠機構にて施錠可能とした遊技機であれば、全てに適用することができる。即ち、例えば、コイン遊技機やスロットマシン等に本発明を適用してもよい。
【００７４】
（２）前記実施形態では、１つの遊技ユニットとしての表示ユニット１６０に対して複数の支持部材１７０が備えられていたが、支持部材は、１つの遊技ユニットに対して１つの支持部材を備えた構成にしてもよい。例えば、１つの遊技ユニットに対応した枠形の支持部材を設け、この支持部材の一部を木ネジにて、遊技盤に固定してもよい。
【００７５】
（３）前記実施形態では、複数の支持部材１７０は、全て同形状であったが、これら複数の支持部材は、互いに異なる形状であってもよい。
【００７６】
（４）支持部材１７０は、遊技盤１１と表示ユニット１６０とに着脱自在であれば、木ネジ以外のもので固定してもよい。例えば、支持部材に可撓性の係止爪を備えて、これが表示ユニットの一部に係止する構成にしてもよい。
【００７７】
（５）前記実施形態では、遊技ユニットとして表示ユニット１６０を例示したが、例えば、一般入賞孔付ランプユニット等その他の遊技ユニットの遊技盤への取り付け部分に本発明を適用してもよい。
【００７８】
（６）前記実施形態では、装飾枠２３と表示ユニット１６０とを直接位置決めしているが、装飾枠２３と表示ユニット１６０の間に支持部材１７０だけや別部材を挟んで、間接的に位置決めしてもよい。
【図面の簡単な説明】
【００７９】
【図１】本発明の一実施形態のパチンコ遊技機の後方斜視図
【図２】パチンコ遊技機に備えた枠体の前方斜視図
【図３】枠体の前面枠を開いた状態の斜視図
【図４】枠体のガラス枠を開いた状態の斜視図
【図５】枠体の分解斜視図
【図６】遊技盤、表示ユニット、支持部材及び装飾枠の斜視図
【図７】遊技盤の正面図
【図８】表示ユニット及び装飾枠の側面図
【図９】表示ユニット及び装飾枠の平面図
【図１０】表示ユニット及び装飾枠の組み付け状態の平面図
【図１１】支持部材の斜視図
【図１２】表示ユニットと支持部材の側断面図
【図１３】表示ユニットと支持部材の背面図
【図１４】パチンコ遊技機の背面図
【図１５】従来の遊技盤、表示ユニット、支持部材及び装飾枠の斜視図
【符号の説明】
【００８０】
１１  遊技盤
２３  装飾枠
２３Ａ  表示窓
１５１  開口部
１６０  表示ユニット
１６２  液晶モジュール（表示部）
１６３  当接突片
１６６  凸条（凸部、嵌合部）
１７０  支持部材
１７１  遊技ユニット当接壁
１７１Ｌ  対向壁
１７２  遊技盤当接壁
１７３  垂直壁
１７５  溝部（被嵌合部）
Ｒ１  遊技領域
【図１】
2007111565.tif 000003
【図２】
2007111565.tif 000004
【図３】
2007111565.tif 000005
【図４】
2007111565.tif 000006
【図５】
2007111565.tif 000007
【図６】
2007111565.tif 000008
【図７】
2007111565.tif 000009
【図８】
2007111565.tif 000010
【図９】
2007111565.tif 000011
【図１０】
2007111565.tif 000012
【図１１】
2007111565.tif 000013
【図１２】
2007111565.tif 000014
【図１３】
2007111565.tif 000015
【図１４】
2007111565.tif 000016
【図１５】
2007111565.tif 000017